(57)【要約】【課題】  枠材本体３に鬼目ナット１２のフランジ１６によるひびが発生しないようにする。【解決手段】  木質系の枠材本体３と、この枠材本体３の端部に枠材本体３の左端面３ａに入口開口６を位置させるようにして形成された、長手方向を枠材本体３の長手方向に向けた下孔５にねじ嵌められた鬼目ナット１２とを有し、前記下孔５が、鬼目ナット１２の外周面に形成された螺旋突条１５を有する部分がねじ嵌まる奥部５ｂと、鬼目ナット１２の雌ねじ筒１３の基部１３ａの外周面に形成されたフランジ１６が嵌まり込む入口側部５ａとを有し、前記フランジ１６が入口側部５ａの奥面７との間に所定間隙８をあけるようにして入口側部５ａに嵌まり込んでいる。【選択図】  図１
2005155117.tif 000002
【特許請求の範囲】
【請求項１】
木質系の枠材本体と、この枠材本体の端部に枠材本体の端面に入口開口を位置させるようにして形成された、長手方向を枠材本体の長手方向に向けた下孔にねじ嵌められた鬼目ナットとを有し、前記下孔が、鬼目ナットの外周面に形成された螺旋突条を有する部分がねじ嵌まる奥部と、鬼目ナットの基部外周面に形成されたフランジが嵌まり込む入口側部とを有し、前記フランジが入口側部の奥面との間に所定間隙をあけるようにして入口側部に嵌まり込んでいる枠材。
【請求項２】
前記枠材本体の端面を含む仮想面とフランジの外側面を含む仮想面との距離が０．５ｍｍ以内となされている請求項１記載の枠材。
【発明の詳細な説明】
【技術分野】
【０００１】
本発明は、窓枠・ドア−枠等の枠材として好適な枠材に関する。
【背景技術】
【０００２】
従来、この種の枠材として以下の如きものは知られている。
木質系の枠材本体と、この枠材本体の端部に枠材本体の端面に入口開口を位置させるようにして形成された、長手方向を枠材本体の長手方向に向けた下孔にねじ嵌められた鬼目ナットとを有し、前記鬼目ナットの基部（基部とは、鬼目ナットを枠材本体の下孔にねじ嵌める際、下孔に先に入れられる先端部と反対側の端部をいう。）の外周面に形成されたフランジが、枠材本体の端面から外方に突出しないように枠材本体の下孔の入口開口縁部を変形させつつ入口開口縁部にめり込むようになされたものは知られている。なお、鬼目ナットとは、雌ねじ筒と、この雌ねじ筒の外周面に形成された螺旋突条と、雌ねじ筒の基部の外周面に形成されたフランジとを有するものである。
【特許文献１】実開平３−４６，６８８号公報
【発明の開示】
【発明が解決しようとする課題】
【０００３】
前記従来の枠材には以下の如き欠点があった。
鬼目ナットを下孔にねじ嵌める際、そのフランジが枠材本体の端面から外方に突出しないように鬼目ナットを下孔にねじ嵌めるため、フランジが枠材本体の下孔の入口開口縁部を変形させつつ入口開口縁部に強く当接して、枠材本体の下孔の周縁部にひび（割れ目）が発生するという欠点があった。この欠点の発生は、ＭＤＦ（中質繊維板）等の柔らかい素材からなる枠材の場合、特に大きな欠点となっていた。
【課題を解決するための手段】
【０００４】
本発明は前記欠点を解消するために以下の如き手段を採用した。
（１）請求項１の発明は、木質系の枠材本体と、この枠材本体の端部に枠材本体の端面に入口開口を位置させるようにして形成された、長手方向を枠材本体の長手方向に向けた下孔にねじ嵌められた鬼目ナットとを有し、前記下孔が、鬼目ナットの外周面に形成された螺旋突条を有する部分がねじ嵌まる奥部と、鬼目ナットの基部外周面に形成されたフランジが嵌まり込む入口側部とを有し、前記フランジが入口側部の奥面との間に所定間隙をあけるようにして入口側部に嵌まり込んでいるものである。
（２）請求項２の発明は、前記枠材本体の端面を含む仮想面とフランジの外側面を含む仮想面との距離が０．５ｍｍ以内となされている請求項１記載のものである。
【発明の効果】
【０００５】
本発明は前記した如き構成によって以下の如き効果を奏する。
（１）請求項１の発明によれば、鬼目ナットの基部外周面に形成されたフランジが入口側部の奥面との間に所定間隙をあけているので、即ち、フランジが枠材本体に当接しないようになされているので、枠材本体にフランジによるひびが発生することはない。
（２）請求項２の発明によれば、枠材本体の端面に当てられた別の枠材（以下、第２枠材という）に形成された貫通孔を通じて、ボルトを鬼目ナットに嵌めた際において、誤って必要以上にボルトを強く鬼目ナットにねじ嵌めた際において鬼目ナットに第２枠材側に向かって移動しようとする必要以上の力が加わっても、フランジが当初から第２枠材に当接しているか、又は、第２枠材側に僅かに移動してフランジが第２枠材に当接することになり、第２枠材に当接したフランジが、鬼目ナットの、第２枠材側に移動しようとするのを阻止するので、鬼目ナットが第２枠材側に向かって大きく移動することにより枠材本体に発生するひびの発生を防ぐことが出来る。
【発明を実施するための最良の形態】
【０００６】
以下に本発明の実施の形態を説明する。
なお、この説明において、前とは図１紙面表側を、後とは同裏側をいい、左とは図１左側を、右とは同図右側をいう。また、上とは図１上側を、下とは同図下側をいう。
【０００７】
枠材１は、長手方向を左右方向に向けた木質系の枠材本体３と、この枠材本体３の左端部の前後部に枠材本体３の左端面３ａに入口開口６を位置させるようにして形成された、長手方向を枠材本体３の長手方向に向けた前後一対の下孔５にねじ嵌められた周知の鬼目ナット１２とを有している。
前記枠材本体３の前後長さは、例えば枠材本体３の上下長さの３倍程度であり、枠材本体３の左右長さは建築施工現場に対応した長さとなされている。
【０００８】
前記鬼目ナット１２は、内周面に雌ねじ１４を有する雌ねじ筒１３と、この雌ねじ筒１３の外周面に形成された螺旋突条１５と、雌ねじ筒１３の基部１３ａの右端近傍の外周面に形成されたフランジ１６とを有している。なお、雌ねじ筒１３の基部１３ａの内部は、六角レンチが嵌まる六角孔（図示略）となされている。前記六角孔は、後述のボルト２３と衝突・干渉しないような大きさとなされている。
【０００９】
前記下孔５は、鬼目ナット１２の螺旋突条１５を有する部分がねじ嵌まる奥部５ｂと、鬼目ナット１２のフランジ１６が嵌まり込む入口側部５ａとを有している。入口側部５ａ及び奥部５ｂの断面形状は円形である。
【００１０】
前記フランジ１６は、入口側部５ａの奥面７との間に所定間隙８をあけるようにして入口側部５ａに嵌まり込んでいる。前記フランジ１６の外側面１６ａを含む仮想面と前記枠材本体３の左端面３ａを含む仮想面との距離が０．５ｍｍ以内となされている。実施の形態では、前記距離はゼロである。
【００１１】
なお、枠材本体３の右側端部は、左右方向中央に鏡面を左側に向けるようにして置いた鏡で左側部を映したときに表われる像と同一の形状をしている。
【００１２】
次に枠材１と第２枠材２０との連結方法を説明する。
上下方向に長い第２枠材２０の上端部には鬼目ナット１２の基部１３ａが嵌まる左右方向に貫通した貫通孔２１が形成されているので、基部１３ａを貫通孔２１に嵌めるようにして、枠材本体３の左端面３ａに第２枠材２０の上端部を当てる。なお、貫通孔２１の左端部には後述のボルト２３の頭が嵌まる沈みあなぐりが形成されている。
その後、貫通孔２１を通じてボルト２３を鬼目ナット１２にねじ嵌める。
【００１３】
なお、枠を構成するには、２本の枠材１と２本の第２枠材２０とを枠組みして、各端部を上記のように連結すればよい。
【００１４】
以下に変形例等について説明を加える。
（１）木質系の枠材本体には、むくの木材、合板、ＭＤＦ（中質繊維板）、パーティクルボード等を素材とする枠材本体が含まれる。
（２）鬼目ナット１２の長さは任意である。
（３）入口側部５ａの断面形状は円形に限定されない。
【図面の簡単な説明】
【００１５】
【図１】本発明の実施の形態を示す要部断面図である。
【符号の説明】
【００１６】
１  枠材
３  枠材本体
３ａ  左端面
５  下孔
５ａ  入口側部
５ｂ  奥部
６  入口開口
７  奥面
８  所定間隙
１２  鬼目ナット
１３  雌ねじ筒
１３ａ  基部
１４  雌ねじ
１５  螺旋突条
１６  フランジ
１６ａ  外側面
【図１】
2005155117.tif 000003